(57)【要約】      （修正有）【課題】新築建築物もしくは既存建築物の地震時における天井の振動や変位を吸収して天井の崩壊落下を防止する安全性に適した軽量吸振天井を、鉄筋コンクリート面や構造鋼材や木梁面に直接取り付け構成することにより、耐震性を高めた耐震用軽量吸振直張り天井及びその設置方法を提供する。【解決手段】新築建築物もしくは既存建築物の鉄筋コンクリート面或いは構造鋼材に設置された支持用のあと施工アンカー、固定支持金物５及び／又は連結用鋼材６で強固な天井下地組取り付け用一次下地を構成し、天井下地組野縁レールに天井用軽量不燃天井板１に取付けられた天井板レール枠を差し込み取り付けた軽量吸振天井を直接取り付ける耐震用軽量吸振直張り天井及びその設置方法。【選択図】図１
2019090240.tif 000002
【特許請求の範囲】
【請求項１】
耐震用軽量吸振直張り天井及びその設置方法であって、
新築建築物もしくは既存建築物の鉄筋コンクリート面或いは構造鋼材に設置された支持用のあと施工アンカー、固定支持金物及び／又は連結用鋼材で強固な天井下地組取り付け用一次下地を構成し、
天井下地組野縁レールに天井用軽量不燃天井板に取付けられた天井板レール枠を差し込み取り付けた軽量吸振天井を直接取り付けることにより、天井吊りボルトを排除し、
天井全部および一部の地震時の振動や変位を吸収し天井の崩壊落下を防ぐことができることを特徴とする、
耐震用軽量吸振直張り天井及びその設置方法。
【請求項２】
該新築建築物もしくは既存建築物の鉄筋コンクリート面或いは構造鋼材に設置された支持用のあと施工アンカーや固定支持金物は強度根拠を有し、
根拠数値を提示できることを特徴とする、
請求項１記載の耐震用軽量吸振直張り天井及びその設置方法。
【請求項３】
該新築建築物もしくは既存建築物の鉄筋コンクリート面や構造鋼材に取り付けられた天井下地組取り付け用一次下地は、
連結用鋼材或いは筋交い用連結鋼材によって強固に固定することができることを特徴とする、
請求項１又は２記載の耐震用軽量吸振直張り天井及びその設置方法。
【請求項４】
該新築建築物もしくは既存建築物の鉄筋コンクリート面や構造鋼材に取り付けられた天井下地組取り付け用一次下地に、天井下地組野縁レールに天井用軽量不燃天井板に取付けられた天井板レール枠を差し込み取り付けた軽量吸振天井を直接取り付けることにより、
天井吊りボルトを排除することができることが特徴とする、
請求項１乃至３記載の耐震用軽量吸振直張り天井及びその設置方法。
【請求項５】
該新築建築物もしくは既存建築物の鉄筋コンクリート面や構造鋼材に取り付けられた天井下地組取り付け用一次下地に、天井下地組野縁レールに天井用軽量不燃天井板に取付けられた天井板レール枠を差し込むための野縁固定金具のボルト下部が通し野縁幅より長く直角に曲げられていることにより、
下部の固定により上部の長ねじの締めが容易に強固に取り付けられることを特徴とする、
請求項１乃至４記載の耐震用軽量吸振直張り天井及びその設置方法。
【請求項６】
該建築物の木造新築もしくは木造既存建築物の木梁面に取り付けられた天井下地組取り付け用一次下地に、天井下地組野縁レールに天井用軽量不燃天井板に取付けられた天井板レール枠を差し込むための野縁固定金具のボルト下部が通し野縁幅より長く直角に曲げられていることにより、
下部の固定により上部の長ねじの締めが容易に強固に取り付けられることを特徴とする、
請求項１乃至５記載の耐震用軽量吸振直張り天井とその設置方法。
【発明の詳細な説明】
【技術分野】
【０００１】
本発明は、建築物の新築もしくは既存建築物の地震時における天井の振動や変位を吸収して天井の崩壊落下を防止する安全性に適した軽量吸振天井を鉄筋コンクリート面や構造鋼材や木梁面に直接取り付け構成することにより、軽量吸振吊り天井よりもさらに耐震性を高める、耐震用軽量吸振直張り天井とその設置方法に関する。
【背景技術】
【０００２】
近年の天井落下防止対策開発に関しては、平成２３年３月１１日に発生した東日本大震災において多数の建築物の天井が脱落し、かつてない規模で甚大な被害が生じたことにより、公的機関から天井の危険性について公式発表された。これを受けて、有識者からは「天井板に対して軽く柔らかいものにする新しい視点が必要」との意見が寄せられた。
【０００３】
現在、建築物の天井仕上げ工事においては、住宅または特殊木造建築物等以外のほとんどの天井が「吊り天井」仕上げ工事を主流としている。またその構成は、軽量スチール下地骨組に不燃ボード天井の組み合わせが、コスト面における長期に渡る改善改良の結果最も低価格であると考えられ、主流となっている。かかる構成の天井はショッピングセンター・映画館・コンサートホール・体育館・公民館・消防署・警察署・工場・倉庫等と民間、公共に多く施工されている。
【０００４】
従来、「吊り天井」は、天井部分の下地骨組の下端に石こうボードをビスで固定し、金属の棒でつり下げる建築手法で、ショッピングセンター・体育館等の大勢の人々が使用する建築物に施工されているが、構造としては非構造部材としての見解で、設計の段階で耐震性についての検討はほとんどされておらず、大地震の際は崩壊して人的被害をもたらす危険性があると指摘されていた。
【０００５】
先般の熊本・大分地震、現在も断続的な日本列島余震と地震による建築物の脱落損壊、特に吊り天井等の落下による人災は、平成２６年４月に国土交通省の建築基準法施行令改正後、文部科学省がのち２年間で実施した教育施設（体育館・武道場等）の天井等落下防止対策調査・改修に於いて特定天井の範囲までに留まり、その他の公共・民間の建築物（住宅・家屋含む）までには調査・改修はほとんど手が届かず、耐震化用天井開発は非常に出遅れた状況である。また、先般、某新聞記事一面に熊本県内の公共体育館施設では天井材や照明器具落下により７１指定避難所が使えず、「非構造」の耐震遅れが指摘されている。
【０００６】
平成２６年４月以降文部科学省の全国の教育施設（体育館・武道場等）の天井改修工事では天井解体撤去が主として施工されて来たが、今以て全国で屋根下地材（野地板）等の脱落損壊が発生している状況である。
【０００７】
これらの公表発表と共に急速に天井脱落対策試案が確定され、国土交通省は平成２６年４   月１日に建築基準法施行令「特定天井及び特定天井の構造耐力上安全な構造工法を定める件」を改正し、天井脱落防止対策に係わる法の改正を施工したところである。
【０００８】
各機関の発表では、平成２４年１２月に学校施設等を管理する文部科学省の調査研究協力会が発表され、また平成２５年３月には天井耐震改修の手引き「撤去・再設置・補強・落下防止ネット等設置」や有識者団体の日本建築学会の特別調査委員会の発表や、天井等の非構造材の落下事故防止ガイドライン「天井材の軽量・柔軟化、フェイルセーフ対策案としての落下防止ネットや落下防止ワイヤーの設置」などがあり、建築基準法を司る国土交通省が平成２４年７月３１日から９月１９日には「建築物における天井脱落対策試案」に関する指針を提案してパブリックコメントを募集した。
【０００９】
これらの公表発表と共に急速に天井脱落対策試案が確定され、国土交通省は平成２６年４   月１日に建築基準法施行令「特定天井及び特定天井の構造耐力上安全な構造工法を定める件（昭和25年国土交通省告示第７７１号、他）」の天井脱落防止対策に係わる法の改正を施工したところである。
【００１０】
しかし、天井脱落防止対策に係わる法の改正の特定天井（天井の質量２ｋｇ／ｍ２超２０ｋｇ／ｍ２以下）の検証ルート（仕様・計算）を適用する耐震性吊り天井では、過去の吊り天井の施工に対して約４倍の工事期間と数倍のコストアップが生じ、今後の建築設計において大きな問題となっている。
【００１１】
崩壊防止策において最も必要な課題は、在来の「吊り天井」に代わる新しい天井の構成を提案することであり、さらにかかる構成は施工の迅速且つ簡易性及び経済的に負担のかからない価格設定であることが望ましい。
【００１２】
本発明は、建築物の新築もしくは既存建築物の地震時における天井の振動や変位を吸収して天井の崩壊落下を防止する安全性に適した軽量吸振天井を鉄筋コンクリート面や構造鋼材に直接取り付け構成することにより、軽量吸振吊り天井よりもさらに耐震性を高める、耐震用軽量吸振直張り天井とその設置方法であり、これらの解決の為に重要なものである。
【先行技術文献】
【特許文献】
【００１３】
【特許文献１】日本国特開２００３ー１２００４５号公報
【特許文献２】日本国特開２００９ー１６７７３７号公報
【発明の概要】
【発明が解決しようとする課題】
【００１４】
本発明が解決しようとする課題は、新築もしくは既存建築物の地震時における天井の振動や変位を吸収して天井の崩壊落下を防止する安全性に適した軽量吸振天井を、鉄筋コンクリート面や構造鋼材に直接取り付け構成することにより、人的被害を起こさない耐震用軽量吸振直張り天井の構成を実現することである。そのためには、従来の軽量スチール下地骨組に不燃ボード天井の組み合わせた吊り天井の概念を捨て、今までとは異なる軽量吸振天井の構成の開発が求められる。
【００１５】
そこで、本発明の目的は、建築物の新築もしくは既存建築物の地震時における天井の振動や変位を吸収して天井の崩壊落下を防止する安全性に適した軽量吸振天井を鉄筋コンクリート面や構造鋼材に直接取り付け構成することにより、軽量吸振吊り天井よりもさらに耐震性能を高める、耐震用軽量吸振直張り天井とその設置方法を提供することにある。
【課題を解決するための手段】
【００１６】
本発明は、耐震用軽量吸振直張り天井及びその設置方法であって、新築建築物もしくは既存建築物の鉄筋コンクリート面或いは構造鋼材に設置された支持用のあと施工アンカー、固定支持金物及び／又は連結用鋼材で強固な天井下地組取り付け用一次下地を構成し、天井下地組野縁レールに天井用軽量不燃天井板に取付けられた天井板レール枠を差し込み取り付けた軽量吸振天井を直接取り付けることにより、天井吊りボルトを排除し、天井全部および一部の地震時の振動や変位を吸収し天井の崩壊落下を防ぐことができることを特徴とする、耐震用軽量吸振直張り天井及びその設置方法である。
【００１７】
また本発明は、該新築建築物もしくは既存建築物の鉄筋コンクリート面或いは構造鋼材に設置された支持用のあと施工アンカーや固定支持金物が強度根拠を有し、根拠数値を提示できることを特徴とする。
【００１８】
また本発明は、該新築建築物もしくは既存建築物の鉄筋コンクリート面や構造鋼材に取り付けられた天井下地組取り付け用一次下地が、連結用鋼材或いは筋交い用連結鋼材によって強固に固定することができることを特徴とする。
【００１９】
また本発明は、該新築建築物もしくは既存建築物の鉄筋コンクリート面や構造鋼材に取り付けられた天井下地組取り付け用一次下地に、天井下地組野縁レールに天井用軽量不燃天井板に取付けられた天井板レール枠を差し込み取り付けた軽量吸振天井を直接取り付けることにより、天井吊りボルトを排除することができることが特徴とする。
【００２０】
また本発明は、該新築建築物もしくは既存建築物の鉄筋コンクリート面や構造鋼材に取り付けられた天井下地組取り付け用一次下地に、天井下地組野縁レールに天井用軽量不燃天井板に取付けられた天井板レール枠を差し込むための野縁固定金具のボルト下部が通し野縁幅より長く直角に曲げられていることにより、下部の固定により上部の長ねじの締めが容易に強固に取り付けられることを特徴とする。
【００２１】
また本発明は、該建築物の木造新築もしくは木造既存建築物の木梁面に取り付けられた天井下地組取り付け用一次下地に、天井下地組野縁レールに天井用軽量不燃天井板に取付けられた天井板レール枠を差し込むための野縁固定金具のボルト下部が通し野縁幅より長く直角に曲げられていることにより、下部の固定により上部の長ねじの締めが容易に強固に取り付けられることを特徴とする。
【００２２】
さらに前記目的を達成するため、本発明にかかる軽量吸振天井は、外周部の壁面と中央部の固定範囲天井部分との間に設けた吸振範囲天井部分の前記天井用軽量不燃天井板を有し、柔軟性或いは粘弾性の天井板により天井全部および一部の地震時の振動や変位を吸収し抑制を図ることができる。
【００２３】
前記天井材と天井板枠の柔軟性或いは粘弾性により天井全部および一部の地震時の振動や変位を吸収し抑制を図ることができる。ここで、本発明にかかる天井材とシートと天井板枠は、ガラス繊維、グラスウール・タキロン・合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリ塩化ビニル・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・パルプ・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、天井材としてはパンチングメタル、スチールメッシュ、アルミパネルを含む金属材料、天井材及び／又はシート／又は天井板枠としてはアルミ及び薄肉のスチールを含む金属材料、金属材料を含む複合材料、のいずれかを好適に用いることができる。
【００２４】
本発明は、新築建築物もしくは既存建築物に施工する天井に係る構成であり、また設置工法である。該軽量吸振天井に構成される耐震用軽量吸振直張り天井は、鉄筋コンクリート面や構造鋼材や木梁面に支持用のあと施工アンカーや固定支持金物や連結用鋼材で直接取り付け構成し、耐震性能の向上を図ることができる。
【００２５】
また本発明においては、前記軽量吸振天井に構成される。該新築もしくは既存建築物の地震時に天井の崩壊落下の要因である天井吊りボルトを排除し、鉄筋コンクリート面や構造鋼材や木梁面に支持用のあと施工アンカーや固定支持金物や連結用鋼材で直接取り付けられたことで耐震性能を高めることができる。
【００２６】
本発明の鉄筋コンクリート面や構造鋼材や木梁面に支持用のあと施工アンカーや固定支持金物や連結用鋼材で直接取り付けられた軽量吸振天井は、天井下地組野縁レールに、天井用軽量不燃天井板に取付けられた天井板レール枠を差し込み取り付けることで、天井板の地震時の振動や変位にも落下を防ぎ、主に粘弾性の天井板を用いることにより地震時の天井全部および一部の崩壊落下を防止し、人的被害を無くすことができ、軽量なので施工要領も簡素化が可能となり、経済的にも有利となる。
【００２７】
このような構成とすることにより、本来の「石膏ボードつり天井及び鋼製照明器具」仕上げ工事の崩壊落下の最も大きな原因である天井下地骨組の天井吊りボルトと野縁受けを繋ぐハンガーと野縁受けと野縁を結合するクリップの破損破壊が無くなり、万が一激しい振動によって落下した際も、天井用軽量不燃天井板のみ落下であり、柔軟あるいは粘弾性であり且つ軽量のため、人的被害を最小限にとどめることができる。
【発明の効果】
【００２８】
本発明の耐震用軽量吸振直張り天井とその設置方法は、建築物の新築もしくは既存建築物の鉄筋コンクリート面や構造鋼材や木梁面に支持用のあと施工アンカーや固定支持金物や連結用鋼材で直接取り付けられた軽量吸振天井の天井下地組野縁レールに、天井用軽量不燃天井板に取付けられた天井板レール枠を差し込み取り付けることで、地震時の振動や変位にも落下を防ぎ、主に粘弾性の軽量天井板を用いることにより地震時の天井全部および一部の崩壊落下を防止し、人的被害を無くすことができ、軽量なので施工要領も簡素化が可能となり、経済的にも有利となる。
【００２９】
本発明の耐震用軽量吸振直張り天井とその設置方法は、軽量吸振吊り天井を建築物の新築もしくは既存建築物の鉄筋コンクリート面や構造鋼材や木梁面に支持用のあと施工アンカーや固定支持金物や連結用鋼材で直接取り付けることにより、天井吊りボルトを排除し、耐震用軽量吸振直張り天井に構成することによって、天井全部および一部の地震時の振動や変位を吸収し抑制の向上を図ることができ、よって天井の崩壊落下を防ぐことができる。
【図面の簡単な説明】
【００３０】
【図１】軽量吸振直張り天井見上げ図例である。
【図２】構造鋼材（Ｈ型鋼）直張り正面図である。
【図３】構造鋼材（Ｈ型鋼）直張り側面図である。
【図４】構造鋼材（Ｈ型鋼）連結用鋼材直張り正面図である。
【図５】構造鋼材（Ｈ型鋼）連結用鋼材直張り側面図である。
【図６】鉄筋コンクリート面あと施工アンカー直張り正面図である。
【図７】鉄筋コンクリート面あと施工アンカー直張り側面図である。
【図８】構造鋼材（Ｃ型鋼）直張り正面図である。
【図９】構造鋼材（Ｃ型鋼）直張り側面図である。
【図１０】通し野縁上下部材固定金具の正面、側面、見上げ図である。
【図１１】構造鋼材（Ｈ型鋼）筋交い併用連結用鋼材直張り正面図である。
【図１２】軽量吸振吊り天井見上げ図例である。
【図１３】構造鋼材用軽量吸振吊り天井正面図である。
【図１４】構造鋼材用軽量吸振吊り天井側面図である。
【図１５】あと施工アンカー用軽量吸振吊り天井正面図である。
【図１６】あと施工アンカー用軽量吸振吊り天井側面図である。
【図１７】木梁（住宅用）直張り正面図である。
【図１８】木梁（住宅用）直張り側面図である。
【発明を実施するための形態】
【００３１】
以下、本発明の実施例につき、図面を参照して説明する。
【実施例】
【００３２】
図１乃至図１１は、本発明の一実施形態に係る、建築物の新築もしくは既存建築物の鉄筋コンクリート面２や構造鋼材３に取り付け構成される、耐震用軽量吸振直張り天井とその設置方法を示す図である。
【００３３】
図１は、本実施の形態に係る軽量吸振直張り天井見上げ図例で、新築もしくは既存建築物の鉄筋コンクリート面２や構造鋼材３（図２、図３、図４、図５、図１１参照）に固定支持金物５や連結用鋼材６ａや筋交い用連結用鋼材６ｂで軽量吸振天井１を直接取り付ける工法である。
【００３４】
図２、図３は、建築物の新築もしくは既存建築物の構造鋼材３のH型鋼３ａに固定支持金物５や連結用鋼材６ａで軽量吸振天井１を直接取り付ける工法である。
【００３５】
図４、図５、図１１は、建築物の新築もしくは既存建築物の構造鋼材３のH型鋼３ａに固定支持金物３や連結用鋼材６ａや筋交い用連結用鋼材６ｂで天井裏に配線配管などの設置空間を構成し、軽量吸振天井１を直接取り付ける工法である。
【００３６】
図６、図７は、建築物の新築もしくは既存建築物の鉄筋コンクリート面２に支持用のあと施工アンカー４や連結用鋼材６ａで軽量吸振天井１を直接取り付ける工法である。
【００３７】
図８、図９は、建築物の新築もしくは既存建築物の構造鋼材３のＣ型鋼３ｂに固定支持金物５や連結用鋼材６ａで軽量吸振天井１を直接取り付ける工法である。
【００３８】
図１０は、軽量吸振天井１の天井下地組野縁レール１ｂに、天井用軽量不燃天井板１ａに取付けられた天井板レール枠１０を差し込み取り付けるための上下部材１ｂを固定する野縁固定金具７の工法である。
【００３９】
図１０の野縁固定金具７のボルト下部が通し野縁１ｂ幅より長く直角に曲げることにより、下部の固定により上部の長ねじの締めが容易に強固に取り付けられる。
【００４０】
図１乃至図１６は、本発明の一実施形態に係る、図１２の軽量吸振吊り天井８を建築物の新築もしくは既存建築物の鉄筋コンクリート面２や構造鋼材３に支持用のあと施工アンカー４や固定支持金物５や連結用鋼材６で天井下地組野縁レール１ｂに天井用軽量不燃天井板１ａに取付けられた天井板レール枠を差し込み取り付けた軽量吸振天井１を直接取り付けることにより、図１３、図１４、図１５、図１６の天井吊りボルト９を排除し、耐震用軽量吸振直張り天井に構成することによって、天井全部および一部の地震時の振動や変位を吸収し抑制の向上を図ることができ、天井の崩壊落下を防ぐことができる耐震用軽量吸振直張り天井とその設置方法を示す図である。
【００４１】
図１７、図１８は、木造建築物の木梁面に支持用のあと施工アンカー４で天井下地組野縁レール１ｂに天井用軽量不燃天井板１ａに取付けられた天井板レール枠を差し込み取り付けた軽量吸振天井１を直接取り付けることにより、木つり材を排除し、耐震用軽量吸振直張り天井に構成することによって、天井全部および一部の地震時の振動や変位を吸収し抑制の向上を図ることができ、天井の崩壊落下を防ぐことができる耐震用軽量吸振直張り天井とその設置方法を示す図である。
【００４２】
本発明の耐震用軽量吸振直張り天井は、平成２６年４月１日に施行する建築基準法施行令（国土交通省告示７７１号）改正に定められている特定天井外の「その他の天井」に属し、天井脱落対策の対象となる天井と検証ルートが不要になり、そのため設計者による安全確保の判断のみで確認申請ができ大きな強みを持っている。
【産業上の利用可能性】
【００４３】
在来の「石膏ボード吊り天井及び鋼製照明器具」の地震時の崩壊防止策の対応施工要領には、国土交通省が２００１年に技術指針で作成した、第一に壁と吊り天井の間に隙間を設け、横揺れでの損傷を防ぐ、第二に吊り天井の揺れを抑えるために下地骨組を補強材でつなぐ、といった耐震補強重視の対策案であるが、前記の崩壊防止施工方法では、工事が大規模になり、経済的に負担が大きくなるため、各自治体の施設の対応が遅れているのが現状である。
【００４４】
本発明の耐震用軽量吸振直張り天井は、従来の「石膏ボード吊り天井」の概念を捨て、今までとは異なる耐震用軽量吸振直張り天井の開発により、前記の国土交通省の技術指針耐震補強工事が省かれ、極端に工期短縮が出来、施工要領の簡易性で地震や老朽化による落下対策の安全性も高くなり、コスト面でも前記の国土交通省のつり天井に関する技術指針施工よりも減額が見込まれるなど、数多くの問題解決となり国土交通省の新しい制度の対処法として、また民間商業施設等の崩壊危険予知の対策として産業需要が期待できる。
【００４５】
天井材・下地材等を含む耐震化用天井開発はまさに、弊社開発の耐震用軽量吸振直張り天井が顧客ニーズと市場（国内外）に適合した技術だと思います。新築建築物の計画においても耐震用天井は必然の考慮であり、今後の「軽量天井及び落下防止措置」の設置工法として本発明の、耐震用軽量吸振直張り天井とその設置方法は産業上の利用可能性は大である。
【００４６】
本発明の建築物の新築もしくは既存建築物の耐震用軽量吸振直張り天井工法は、これからの日本のシステム天井産業上、利用可能性は十分に見込まれ、国内・海外いずれにもニーズがあり、産業上の利用可能性は大である。
【符号の説明】
【００４７】
１      軽量吸振天井
１ａ    天井用軽量不燃天井板
１ｂ    天井下地組野縁レール
２      鉄筋コンクリート面
３      構造鋼材
３ａ    Ｈ型鋼
３ｂ    Ｃ型鋼
４      あと施工アンカー
５      固定式支持金物
６      連結用鋼材
７      野縁固定金具
８      軽量吸振吊り天井
９      天井吊りボルト
１０    天井板レール枠
１１    木梁
【図１】
2019090240.tif 000003
【図２】
2019090240.tif 000004
【図３】
2019090240.tif 000005
【図４】
2019090240.tif 000006
【図５】
2019090240.tif 000007
【図６】
2019090240.tif 000008
【図７】
2019090240.tif 000009
【図８】
2019090240.tif 000010
【図９】
2019090240.tif 000011
【図１０】
2019090240.tif 000012
【図１１】
2019090240.tif 000013
【図１２】
2019090240.tif 000014
【図１３】
2019090240.tif 000015
【図１４】
2019090240.tif 000016
【図１５】
2019090240.tif 000017
【図１６】
2019090240.tif 000018
【図１７】
2019090240.tif 000019
【図１８】
2019090240.tif 000020